(57)【要約】      （修正有）【課題】文字工学的な観点からの、現状分析等によって科学的文字キー列を確立する。【解決手段】文字工学的な文字配列の３原則にもとづいて、母音を高頻度順に薬小指ＨＰ（ホームポジション）、中指ＨＰ、中指プッシュプルの各タッチキーに、子音を高頻度順に母音を配列していない中指ＨＰ、人指ＨＰキー列の、人指プッシュ・プルの各タッチキーに、そして、残りの文字を可能な限り薬小指プルタッチキー以外の残りのキーにそれぞれ配列した。【選択図】図２
2016031753.tif 000002
【特許請求の範囲】
【請求項１】
2016031753.tif 000006
そして、文字は書くから打つへ（文字の打つ体制化）等、文字文明が変わるいや変えるべき人類史上最大のターニングポイントの打つの黎明期だからこそ、文字は打つあり様体制の基盤となる、科学的な文字キー列を確立化するための定理法則等発見による、文字進化の先取り的な文字文明の変革がねらい。具体的には、あってしかるべきの指機能等の人間工学と文字の工学的機能等の融合による新たなカテゴリ文字工学の学問化的な改めての観点からのタッチの高速化に根ざした、両手ハンドルタッチングの公知パソコン等のキー配列に文字を配列しての基本的にアルファベット（以下ＡＢ）等的ローマ字（子音＋母音）２字合体化文字を２打でディアルタッチ（以下ＤＴ：２文字同時差タッチの意）入力するＡＢ等キー列。さらに、かな字等（子音＋母音）２字一体化文字を１打で入力するかなキー列等で構成する文字キー列に於いて、まずは、ベースとなる、人間工学的なキー配列は２種類のみ存在等の文字キー列の定理発見にもとづいてのキー配列。２列目ブラインドタッチ（以下ＢＴ）するための人差し指（以下人指）がタッチするホームポジション（以下ＨＰ）マークキーのあるＨＰキー列、キー数１２個相当、ＨＰマークキーのキースパン４か１／３または２１３個（現４個）。１列目、押し戻すプッシュタッチプッシュキー列、キー数１１個また
2016031753.tif 000007
対称（現左２／３右１／３左右非対称）。そして、３列目、押し戻すプルタッチプルキー列、キー数１１個相当、オフセット左右とも−１／３（現１／２）にそれぞれキーを配列した、ＢＴし易いキー数の多いＭＡＸ３５個（現３２個）、指すじとキーすじが合致する左右対称八の字スタイルタッチ式（現左右非対称八の字スタイル）のタッチチし易い高度な３列タイプのキー配列。０列目、ＨＰキー列の上２列ツーアップキー列を追加すると４列タイプのキー配列（図１参照）。
加えて、文字工学的な文字配列の３原則発見にもとづいての母音を高頻度順に薬小指ＨＰ→中指ＨＰ→中指プッシュプルの各タッチキーに、子音を高頻度順に母音を配列してない中指ＨＰ→人指ＨＰキー列の→人指プッシュ・プルの各タッチキーに、そして、残りの文字を可能な限り薬小指プルタッチキー以外の残りのキーにそれぞれ配列した、上記キー配列と一体の高速ＤＴ入力のし易い高高速タッチキー頻度率の高度な各言語の言語版毎の合体化文字のＡＢ等キー列（図２参照）。
さらに、一体化文字の１打入力の割合を高めるために、日本語の五十音さしすせそまたはＳＳＳＳＳ等の一体化文字の高頻度のおよそ２０の文字を中高速タッチキーに、低頻度のワースト１０程度の文字を０列目の
2016031753.tif 000008
区分毎に、または、図４の新国際文字ＡＢ表のａ等の単母音高頻度のｓｔ等の子音を１〜３列目の各タッチキーに、低頻度の子音ｖｙ等の文字を０列目の各
2016031753.tif 000009
りの子音を（一体化文字と合体化文字の混合配列）それぞれ配列した、上記キー配列と一体の１打頻度率の高い高度なかなキー列（図３参照）。等で構成する創造的で不変的な文字工学すなわち科学的文字キー列。
文字は打つ体制の文字文明の変革点（高度な文字キー列によって見えてきた情報伝播速的な文字進化のあり様）
2016031753.tif 000010
文字の平易化（高齢化社会に耐え得る文字必要、漢字英語使いこなせないハングルも文字数が多い。）文字の共通化（同音異句の世界共通の文字創設）、一体化文字の開発、重母音の拗音の一体化文字の開発、発音表の創設、文字数の多い言語の文字数の縮減（イタリア語日本語ローマ字並）。
以上を集約した結果の新種の世界共通文字ＡＢ表（図４参照）の創設、取りあえずは各言語毎に必要な文字をピックアップし、第２の公用文字として活用。文字キー列は混合形の配列方式（図４参照）。
【発明の詳細な説明】
【発明の詳細な説明】
【技術分野】
【０００１】  タッチのキー配列指の機能の人間工学、文字配列の文字の工学的な機能、そして、両分野融合の学問的に認知されない文字工学（仮称）の分野で復数。
【背景技術】
【０００２】  文字を手で書くタイプライターで文字を打、そして、印刷して情報伝播のアナログ的な文字は書くあり様体制から、ＩＴの文字入力端末機器のパソコン等で文字を打ち、インターネットで瞬時に情報伝播のデジタル的な文字は打つあり様体制へ、さらに、文字工学が学問化されない等の
2016031753.tif 000003
配列等の高速的要素の文字キー列の技術度は、タイプライターのキー配列流用の書く体制的で非科学的技術度低い。
【発明が解決しようとする課題】
【０００３】打つ体制化に立ち遅れ感のある、高速入力が望めない書く体制的な技術度の低い現文字キー列の解消と同時に、誰もが高速入力できる高速的要素等を高める解決策の創出がもとめられる。
【課題を解決するための手段】
【０００４】  先人の栄達等の各種発明発見によって現代科学が確立したように、文字工学という学問が成立するような文字キー列の定理法則等の発見、さらには、その文字工学的な観点からの改めての技術度を高める、現状分析等によって科学的文字キー列を確立化する。
【発明を実施するための形態】
【０００５】  図１は、発見した人間工学的なキー配列の定理を証明するための各種キー配列の比較表とその説明図で、人間工学的なキー配列の条件設定両手ハンドルタッチング指すじ八の字等と合致するキー配列は、本発明の３列タイプＡとＢの２種類のみであることを明示している。ＥタイプはＢＴし易いキー数が少ない等性能的に劣る。
【０００６】  他のＣタイプ図示してないＦタイプ（キースパンチか２／３個オフ
2016031753.tif 000004
式、平行タイプ手すじ平行等条件設定と合致せず人間工学的なキー配列とは言えない。Ｄタイプは八の字式の応用タイプ、実用度高い。
【０００７】  結果、キー配列にもとづいたキー配列は確立し、キー配列の仕様（キースパンオフセット等）と性能（ＢＴし易いキー数全長等）値等が明確になった。
【０００８】  図２は、す速いＤＴをするための文字配列の３原則発見にもとづいた、高頻度文字と高速タッチキーが合致する文字工学的な高速入力し易い、各種タイプの合体化文字のＡＢ等キー列で、英語版（ＡＢの基本語版的）３列タイプＡの高速タッチキー頻度率８０％（３列タイプＢ７７％）等総じて３列タイプＡ配列の方が優れている。
【０００９】  文字数の少ない日本語版高速タッチキーのみの配列、新種文字未来の一体化文字のローマ字入力版、そして、ローマ字の礎イタリア語版中高速タッチキーのみの配列等いずれも高速入力し易い。
【００１０】
2016031753.tif 000005
ＨＰタッチキーに配列する方式トルコ版も同じ）７２％⇒本発明の英語版８０％と最も高い。文字入力ギネス世界記録ドヴォラック配列英文１０８０字／分⇒１２００字／分の可能性大（１０％強アップとして）。
【００１１】  図３は、一体化文字のかなキー列で、一体化文字の１打入力頻度率を高めるためのかなキー列図２種類。ＡＢ等キー列と比較、打数は２０〜３０％減、入力量的速さ１．１〜１．２倍増。
【００１２】  日本語版１００余文字の約５０文字を１打配列の五十音配列方式とあ〜は行の３０文字をの新種文字に置き変えての合体化と一体化文字との混合配列方式が考られる。
【００１３】  文字を数字に置き変えた、一体化文字の新たな方式で、高頻度文字を打数が少なくなるようにしている。数字メールに活用可能。
【００１４】  図４は、新種の一体化文字のＡＢ発音表とその文字キー列で、文字進化後の打つ体制的未来版を示す。主要な言語の文字数等の形態等も追記。
【００１５】  理想とする打つ体制的な分り易い文字は、合体化文字はＡＢ、一体化文字は本案のＡＢ発音表の文字に集約される。
【発明の効果】
【００１６】  文字工学的な文字キー列の定理法則等の発見による、高度な文字キー列によっての科学的な文字キー列の確立化。結果としての現在最速の英語版ドヴォラック配列より速い文字キー列による、情報伝達の高速化、さらには、解明された人類の謎的存在の文字キー列。
【００１７】  文字は書くから打つへ等の文字進化的な時代背影にともなう文字は打つあり様体制を確立するための文字文明の変革点の明確化、さらには、見えてきた未来の打つ体制とその文字キー列。
【図面の簡単な説明】
【図１】キー配列の実施例図  キー配列の定理の発見につながる説明図とその比較表
【図２】合体文字のＡＢ等キー列の実施例図  文字配列の３原則の発見にともなう各種言語版のＡＢ等キー列図集。
【図３】一体化文字のかなキー列の実施例図  一体化文字の１打頻度率を高めるための各種方式のかなキー列図集。
【図４】国際未来版の実施例図  世界共通文字の新種のＡＢ発音表とその文字キー列。
【図１】
2016031753.tif 000011
【図２】
2016031753.tif 000012
【図３】
2016031753.tif 000013
【図４】
2016031753.tif 000014